(57)【要約】【課題】  輸送中において軸受の転動体の動きを容易な方法で確実に止めることのできる軸受の梱包方法及び梱包された軸受を提供する。【解決手段】  この軸受の梱包方法は、軸受内部に膨張可能材１０を配置し、膨張可能材を膨張させることで軸受の転動体４の動きを固定する。【選択図】  図３
2007119014.tif 000002
【特許請求の範囲】
【請求項１】
軸受内部に膨張可能材を配置し、前記膨張可能材を膨張させることで前記軸受の転動体の動きを固定することを特徴とする軸受の梱包方法。
【請求項２】
前記膨張可能材が伸縮性のチューブであり、前記チューブ内を加圧することで膨張させる請求項１に記載の軸受の梱包方法。
【請求項３】
前記チューブが一端側に加圧用バルブを備える請求項２に記載の軸受の梱包方法。
【請求項４】
前記転動体が複数のころ列を形成しており、前記ころ列間に前記膨張可能部材を配置する請求項１，２または３に記載の軸受の梱包方法。
【請求項５】
前記膨張可能材を内部で膨張させた軸受を防錆テープで巻く請求項１乃至４のいずれか１項に記載の軸受の梱包方法。
【請求項６】
前記膨張可能材を内部で膨張させた軸受を梱包箱に梱包する請求項１乃至５のいずれか１項に記載の軸受の梱包方法。
【請求項７】
請求項１乃至６のいずれか１項に記載の軸受の梱包方法により梱包されたことを特徴とする梱包された軸受。
【発明の詳細な説明】
【技術分野】
【０００１】
本発明は、輸送中における損傷防止のための軸受の梱包方法及び梱包された軸受に関する。
【背景技術】
【０００２】
軸受の生産工場から使用者ヘの輸送は、軸受を梱包箱に梱包してから（梱包箱の例について下記特許文献１参照）、トラック、船舶、航空機など様々な輸送手段を用いて行われるが、それぞれの輸送手段による輸送中及び積み降ろしの段階で梱包箱自体が振動、衝撃を受けてしまうことがある。そのため、例えば、図５のように梱包箱７に梱包された球面ころ軸受１内では、その輸送中にころ４がすきまｇの分だけ動いて内輪３や外輪２に当たり、傷を付けてしまうおそれがある。その対策として、ころ４の動きを止める梱包方法が必要であった。
【０００３】
この対策のための従来の梱包方法は、例えば、図６のように、球面ころ軸受１の両端面にＯリング９ａ、９ｂを装着し、その状態でころ軸受１を防錆テープ巻きにした後、２枚の板６ａ，６ｂの間に挟み込み、ボルトでＯリング９ａ、９ｂを締め付けることにより、ころ４の動きを止めていた。その後、図６の破線で示すように梱包箱７’に梱包する。
【０００４】
しかし、図６の梱包方法は、（１）Ｏリングを２本装着した状態での防錆テープ巻きと、（２）軸受のサイズよりも大きな板２枚をボルトで締め上げる作業と、により時間と手間のかかる作業であるとともに、（２）により梱包箱７’は軸受よりもかなり大きなサイズとなり、図５の梱包箱７よりも大きくなってしまい、輸送コストも高くなってしまう。
【特許文献１】特開２００３−２８５８９３号公報
【発明の開示】
【発明が解決しようとする課題】
【０００５】
本発明は、上述のような従来技術の問題に鑑み、輸送中において軸受の転動体の動きを容易な方法で確実に止めることのできる軸受の梱包方法及び梱包された軸受を提供することを目的とする。
【課題を解決するための手段】
【０００６】
上記目的を達成するために、本発明による軸受の梱包方法は、軸受内部に膨張可能材を配置し、前記膨張可能材を膨張させることで前記軸受の転動体の動きを固定することを特徴とする。
【０００７】
この軸受の梱包方法によれば、軸受の内部に膨張可能材を配置してから膨張させることで、軸受の転動体の動きを容易な方法で確実に止めることができるので、輸送中における転動体の動きに起因する軸受内部での傷等の損傷の発生を未然に防止できる。
【０００８】
上記軸受の梱包方法において前記膨張可能材が伸縮性のチューブであり、前記チューブ内を加圧することで膨張させることが好ましい。この場合、前記チューブが一端側に加圧用バルブを備えることが好ましい。
【０００９】
また、前記転動体が複数のころ列を形成しており、前記ころ列間に前記膨張可能部材を配置することが好ましい。
【００１０】
また、前記膨張可能材を内部で膨張させた軸受を防錆テープで巻くことが好ましい。上述のように膨張させた膨張可能材で内輪・外輪をも固定されるので、その後の防錆テープ巻きは、通常の軸受よりも容易となり、自動巻き付け機も使用できる。
【００１１】
また、前記膨張可能材を内部で膨張させた軸受を梱包箱に梱包することが好ましい。上述のように膨張可能材を配置し膨張させても軸受の外観サイズは変化しないので、軸受サイズに対してより小さい梱包箱を使用できる。
【００１２】
本発明による梱包された軸受は、上述の軸受の梱包方法により梱包されたことを特徴とする。この梱包された軸受によれば、軸受の内部に膨張可能材を配置してから膨張させることで、軸受の転動体の動きを容易な方法で確実に止めることができるので、輸送中における転動体の動きに起因する軸受内部での傷等の損傷の発生を未然に防止できる。また、膨張させた膨張可能材で内輪・外輪をも固定できるので、その後の防錆テープ巻きは、通常の軸受よりも容易となり、自動巻き付け機も使用できる。また、膨張可能材を配置し膨張させても軸受の外観サイズは変化しないので、軸受サイズに対してより小さい梱包箱を使用できる。
【発明の効果】
【００１３】
本発明の軸受の梱包方法及び梱包された軸受によれば、輸送中において軸受の転動体の動きを容易な方法で確実に止めることができるので、輸送中において軸受内部での損傷の発生を未然に防止できる。
【発明を実施するための最良の形態】
【００１４】
以下、本発明を実施するための最良の形態について図面を用いて説明する。図１は本実施の形態による軸受の梱包方法に使用する伸縮性のチューブの外観を概略的に示す図である。図２は図１のチューブをころ軸受に装着した様子を示す図である。図３は図２の装着したチューブを加圧した状態を示す部分図である。
【００１５】
図１に示すように、チューブ１０は、細長く延びた筒状の簡単な形状であり、伸縮性及び密封性があるゴム材料からなり、内部を空気等の気体で加圧することで膨張させることができる。チューブ１０の一端にエアー用バルブ１１が取り付けられており、バルブ１１を通して空気等を送り込んで加圧しチューブ１０を膨張させる。チューブ１０の他端は閉塞されている。
【００１６】
図２、図３に示すように、球面ころ軸受１を梱包の対象とし、球面ころ軸受１内では複数の球面ころ４が２列のころ列４ａ、４ｂを形成しており、列４ａの球面ころ４ともう１つの列４ｂの球面ころ４との間に空間５がある。
【００１７】
図１〜図３の球面ころ軸受の梱包工程について図４のフローチャートを参照して説明する。
【００１８】
まず、図２の球面ころ軸受１の空間５に図１の伸縮性のチューブ１０を配置・装着し（Ｓ０１）、先端のバルブ１１を例えばころ列４ａの球面ころ４と球面ころ４との間を通して球面ころ軸受１の側面から露出させる。空間５へのチューブ１０の配置・装着は、チューブ１０の加圧前に行うので容易である。
【００１９】
次に、図２の外輪２を球面ころ４が配置された内輪３に対し所定位置にして組み立ててから（Ｓ０２）、図２のチューブ１０のバルブ１１に簡易型のエアコンプレッサ等のエアー供給加圧源（図示省略）を連結し、図３のように、チューブ１０内を加圧することでチューブ１０を膨張させてから（Ｓ０３）、バルブ１１に栓をする（Ｓ０４）。これにより、膨張したチューブ１０が各ころ列４ａ，４ｂの各球面ころ４を図３の矢印方向ａに押すため各球面ころ４を内輪３・外輪２に押し付けることで、各球面ころ４の動きを止める。
【００２０】
次に、図２，図３の球面ころ軸受１の両側面を覆うように図３の破線で示す防錆テープ８を巻いてから、梱包箱７に梱包する（Ｓ０６）。
【００２１】
上述のようにして、球面ころ軸受１内の空間５に伸縮性のチューブ１０を挿入し、チューブ１０内を加圧し膨張させることにより、各球面ころ４を軸受内部から内外輪３，２に押し付け、各球面ころ４の動きを止め、輸送中における球面ころ４の動きによる軸受内部での傷発生を未然に防止できる。また、チューブ１０内の加圧圧力により、ころが大きく重い場合でも確実に動きを止めることができる。
【００２２】
また、内輪３・外輪２もチューブ１０で固定されるので、その後の防錆テープ巻きは、通常の軸受の場合よりも容易となり作業性が向上し、また、自動巻き付け機も使用できる。また、伸縮性のチューブ１０の装着で軸受の外観サイズは変化せず、かつ、従来の図６のようなＯリング９ａ、９ｂや板６ａ，６ｂを使用しなくともよいので、軸受サイズに対してより小さい梱包箱を使用でき、従来（図５）と同様の小さな梱包箱を使用できるとともに、図６のような板２枚をボルトで締め上げる作業が不要であるので時間・手間がかからない。以上のことから、梱包・輸送コストが高くならない。
【００２３】
なお、上述のようにして梱包した球面ころ軸受１を開封するときは、チューブ１０を切断等することで加圧された空気を抜き、萎んだチューブ１０を引き抜くことでチューブ１０を容易に球面ころ軸受１から取り除くことができる。
【００２４】
以上のように本発明を実施するための最良の形態について説明したが、本発明はこれらに限定されるものではなく、本発明の技術的思想の範囲内で各種の変形が可能である。例えば、本実施の形態では、球面ころ軸受を例にして説明したが、本発明は、これに限定されず、２列以上のころ列を持ち、ころ列間に空間のある軸受であれば、例えば、複列玉軸受、複列・多列円すいころ軸受、複列・多列円筒ころ軸受にも適用可能である。
【００２５】
また、チューブ１０の材料は、樹脂フィルム等でもよく、また、材料自体に伸縮性が無くても、折り畳んだ状態や丸めた状態等から拡がり膨張する構造のものであってもよい。例えば、くしゃくしゃにして丸めた防水紙などである。更に、加圧封入剤も気体に限定せず、封入後、弾性力を保つ材料であればウレタンゴムなど固形化する固形材でもよい。このような固形材や折り畳んだ紙等を軸受内の空間に配置して、ころを軸受内部から内外輪に押し付けころの動きを止めている場合、その固形材等を取り除くには、図２のように、軸受の内輪側を返してから、固形材等を切断し取り除くことができる。
【００２６】
また、図１〜図３のチューブ１０内を加圧し膨張させるのに用いる気体は空気でよいが、よりも漏れ難い窒素ガスも考えられる。また、チューブ１０の栓は、市販の自転車用等のエアー用バルブを使用できるが、チューブの材質によっては、バルブを使用せずに、チューブ自体を加圧溶着させたり、接着剤で接着させてもよい。
【図面の簡単な説明】
【００２７】
【図１】本実施の形態による軸受の梱包方法に使用する伸縮性のチューブの外観を概略的に示す図である。
【図２】図１のチューブをころ軸受に装着した様子を示す図である。
【図３】図２の装着したチューブを加圧した状態を示す部分図である。
【図４】図１〜図３の球面ころ軸受の梱包工程を説明するためのフローチャートである。
【図５】球面ころ軸受におけるころの動きを説明するための図である。
【図６】図５の球面ころ軸受におけるころの動きを止める従来の方法を説明するためのの図である。
【符号の説明】
【００２８】
１ 球面ころ軸受
２ 外輪
３ 内輪
４ 球面ころ（転動体）
４ａ，４ｂ ころ列
５ 空間
７ 梱包箱
８ 防錆テープ
１０ チューブ（膨張可能材）
１１ エアー用バルブ
【図１】
2007119014.tif 000003
【図２】
2007119014.tif 000004
【図３】
2007119014.tif 000005
【図４】
2007119014.tif 000006
【図５】
2007119014.tif 000007
【図６】
2007119014.tif 000008